(57)【要約】      （修正有）【課題】誰にでも簡単にトイレ用ブラシを着脱できると共に、一瞥しても汚物入れの存在を感じさせないコンパクトでお洒落なスタッキング収納ケースを提供する。【解決手段】第１容器１は、頂部１ａに挿入孔３を開放せしめると共に、同挿入孔３の底部に縮径空隙部３ａを連通せしめる。第２容器２は、正面側に開閉蓋４を備える。この開閉蓋４は、開口部を閉塞せしめるための蓋部４ａと、インナーケース５を載置するためのトレー部４ｂと、該トレー部４ｂの底面に突設されたガイドストッパー４ｃとを備える。ガイドストッパー４ｃは、第２容器の底部２ｃに形成された嵌合スリット２ｄ内に遊嵌されることで、開閉蓋４自体の左右への振れを防止するものであり、また、同ストッパー４ｃの先端には、蓋部４ａの必要以上の回動を規制するための係止爪４ｃ１と、蓋部４ａの開閉軌道を案内するガイド片４ｄとを形成せしめる。【選択図】図７
0003131622.tif 000002
【実用新案登録請求の範囲】
【請求項１】
第１容器と第２容器とをスタッキング状態に組み付けてなるスタッキング収納ケースにおいて、前記第１容器は、第２容器の上位に着脱自在に連結され、頂部に挿入孔を開放せしめたことを特徴とするスタッキング収納ケース。
【請求項２】
前記挿入孔は、底部に水切り若しくは水滴を貯留するための縮径空隙部を連設してなる有底状の盲穴であることを特徴とする請求項１に記載のスタッキング収納ケース。
【請求項３】
前記第２容器は、同容器本体の正面若しくは側面に開閉蓋を介して中に着脱自在なインナーケースを配置してなることを特徴とする請求項１に記載のスタッキング収納ケース。
【請求項４】
前記開閉蓋は、第２容器本体の開口部を閉塞せしめるための蓋部と、該蓋部の下端に連設されてインナーケースを載置するためのトレー部とを備えると共に、該トレー部の底面に形成されて前記蓋部の開蓋操作を規制せしめるガイドストッパーと、前記第２容器の底面に形成された嵌合スリットとを回動自在に遊嵌してなることを特徴とする請求項３に記載のスタッキング収納ケース。
【請求項５】
前記ガイドストッパーは、開蓋操作の際、第２容器の底面に突設された突起に所定角度で係合される係止爪を備えたことを特徴とする請求項４に記載のスタッキング収納ケース。
【請求項６】
前記インナーケースは、同ケースに装着される取付袋の余剰部分を折り入れるためのスリットを設けたことを特徴とする請求項３又は４に記載のスタッキング収納ケース。
【請求項７】
前記第１容器はトイレ用ブラシ立てとして、第２容器は汚物入れとして使用することを特徴とする請求項１に記載のスタッキング収納ケース。
【考案の詳細な説明】
【技術分野】
【０００１】
本考案は、主としてトイレ用として使用されるスタッキング収納ケースの改良に関し、更に詳しくは、外観を一瞥しても汚物入れの存在が分からないようにトイレ用ブラシ立てと汚物入れをスタッキングさせたコンパクトでお洒落なスタッキング収納ケースである。
【背景技術】
【０００２】
従来、斯かるスタッキング収納ケースとしては、例えば、一側にブラシの柄が突出する間隙部を設け、上面に嵌合突起を設けた蓋体で覆蓋するブラシ収納容器と、側壁をブラシ収納容器一側の外側形状に対応させて凹陥させ、底面にブラシ収納容器蓋体の上面に設けられた嵌合突起が嵌入する凹陥部を設けたポット体とからなるブラシ収納容器組合せポットが既に案出されている（例えば、特許文献１参照）。
【特許文献１】特開平１１−２９９６８７号
【考案の開示】
【考案が解決しようとする課題】
【０００３】
しかしながら、上述した従来のスタッキング収納ケースにあっては、トイレ用ブラシを取り出すのに、上位のポット（汚物入れ）をその都度、退かさなければならないため、頗る面倒であると共に、ポットの存在が直ぐさま汚物入れであると認識できることから、特に女性にとっては汚物入れの存在が余り目立たないコンパクトでお洒落なスタッキング収納ケースが要望されている。
【０００４】
本考案はこのような従来の問題点及び要望に鑑みてなされたもので、誰にでも簡単にトイレ用ブラシを着脱できると共に、一瞥しても汚物入れの存在を感じさせないコンパクトでお洒落なスタッキング収納ケースを提供することを目的としたものである。
【課題を解決するための手段】
【０００５】
上述の如き従来の問題点を解決し、所期の目的を達成するため本考案の要旨とする構成は、第１容器と第２容器とをスタッキング状態に組み付けてなるスタッキング収納ケースにおいて、前記第１容器は、第２容器の上位に着脱自在に連結され、頂部に挿入孔を開放せしめたスタッキング収納ケースに存する。
【０００６】
また、前記挿入孔は、底部に水切り若しくは水滴を貯留するための縮径空隙部を連設してなる有底状の盲穴であるのが良い。
【０００７】
更に、前記第２容器は、同容器本体の正面若しくは側面に開閉蓋を介して中に着脱自在なインナーケースを配置しておくのが良い。
【０００８】
また、前記開閉蓋は、第２容器本体の開口部を閉塞せしめるための蓋部と、該蓋部の下端に連設されてインナーケースを載置するためのトレー部とを備えると共に、該トレー部の底面に前記蓋部の必要以上の開蓋操作を規制せしめるガイドストッパーを、前記第２容器の底部に設けられた嵌合スリット内に回動自在に遊嵌するのが良い。
【０００９】
更に、前記ガイドストッパーは、開蓋操作の際、第２容器の底面に突設された突起に所定角度で係合される係止爪を備えるのが良い。
【００１０】
また、前記インナーケースは、同ケースに装着される取付袋の余剰部分を折り入れるためのスリットを設けるのが良い。
【考案の効果】
【００１１】
本考案は上述のように構成され、前記第１容器は、第２容器の上位に着脱自在に連結され、頂部に挿入孔を開放せしめたことによって、例えば、前記挿入孔に挿着させたトイレ用ブラシが、恰も第２容器の中まで挿着されているような錯覚を起こすことから、看者をして汚物入れの存在感を認識させない有用でコンパクトなスタッキング収納ケースを提供できる。
【００１２】
また、前記挿入孔が、底部に水切り若しくは水滴を貯留するための縮径空隙部を連設してなる有底状の盲穴であることによって、汚れたブラシ部分を被装することができるため、衛生的である他、ブラシを挿着した状態で、ブラシ部分から落ちる水滴を前記縮径空隙部内に貯留することができるため、ブラシ部分の乾燥を促進できる。
【００１３】
更に、前記第２容器が、同容器本体の正面若しくは側面に開閉蓋を介して中に着脱自在なインナーケースを配置してなることによって、例えば、汚物をインナーケースに入れることができるため、容器本体を汚すことなく、また、閉蓋することで同汚物入れの存在をカモフラージュすべく上位のブラシ立てと一体になる有用でお洒落なスタッキング収納ケースを提供できる。
【００１４】
また、前記開閉蓋が、第２容器本体の開口部を閉塞せしめるための蓋部と、該蓋部の下端に連設されてインナーケースを載置するためのトレー部とを備えると共に、該トレー部の底面に形成されて前記蓋部の必要以上の開蓋操作を規制せしめるガイドストッパーと、前記第２容器の底部に設けられた嵌合スリットとを回動時材に遊嵌すれば、第１容器がスタッキングされた状態でも、開蓋するだけでインナーケースが同方向へ倒れるため、汚物の出し入れ及びインナーケースの取り外しが頗る簡単にできると共に、従来より使用されていた開閉蓋のヒンジ機構が不要になるといった効果を奏する。
【００１５】
更に、前記ガイドストッパーが、開蓋操作の際、第２容器の底面に突設された突起に所定角度で係合される係止爪を備えることによって、意に反して開閉蓋が必要以上に開蓋されて汚物が溢れ落ちてしまうといった不都合をも阻止できるものである。
【００１６】
また、前記インナーケースが、取付袋の余剰部分を折り入れるためのスリットを設けたことによって、インナーケースに被せる取付袋が嵩張ってしまうことを防止できるため、インナーケースの出し入れや開閉蓋が上手く閉まらなくなってしまうといった危惧をも一掃することができる。
【００１７】
更に、本考案のスタッキング収納ケースは、構成が単純であるため、大量生産に適し価格も低廉なものとして需用者に供給できるなど、本考案を実施することはその実益的価値が甚だ大である。
【考案を実施するための最良の形態】
【００１８】
第１容器と第２容器とをスタッキング状態に組み付け、前記第１容器は、第２容器の上位に着脱自在に連結され、頂部に有底状の挿入孔を開放せしめたブラシ立てとし、前記第２容器は、同容器本体の正面若しくは側面に開閉蓋を介して中に着脱自在なインナーケースを配置してなる汚物入れとするのが良い。
【００１９】
また、前記挿入孔は、少なくともトイレ用ブラシのブラシ部分を許容するだけの深さを有し、底部に水切り若しくは水滴を貯留するための縮径空隙部を設け、前記開閉蓋は、第２容器本体の開口部を閉塞せしめるための蓋部と、該蓋部の下端に連設されてインナーケースを載置するためのトレー部とを備えると共に、該トレー部の底面に前記蓋部の必要以上の開蓋操作を規制せしめるガイドストッパーを前記第２容器の底部に設けられた嵌合スリット内に回動自在に遊嵌するのが良い。
【実施例】
【００２０】
次に本考案の実施の一例を図面を参照しながら説明する。図中Ａは、本考案に係るスタッキング収納ケースであり、このスタッキング収納ケースＡは、図１乃至図４に示すように、ボックス状の第１容器１と第２容器２とをスタッキング状態に組み付けてなるもので、第１容器１がトイレ用ブラシ立て、第２容器２が汚物入れとして使用されるものである。
【００２１】
第１容器１は、頂部１ａに有底状の挿入孔３を開放せしめたブラシ立てであり、この挿入孔３は、例えば、トイレ用ブラシＢのブラシ部Ｂ２  （図４参照）を許容するだけの深さを有する盲穴である。
【００２２】
更に、この挿入孔３の底部には、トイレ用ブラシＢを挿着した際、ブラシ部Ｂ２  を水切りし、また、水切りされた水滴がブラシ部Ｂ２  に接触しないように貯留する縮径空隙部３ａが連通されている。
【００２３】
また、第１容器１の下端側には、スタッキング突起１ｂが突設されており、第２容器２の頂部に設けたスタッキング凹部２ｂ１  に嵌合されることにより、簡単にスタッキング状態に重合できるものである(図４及び図７参照)。
【００２４】
一方、第２容器２は、正面側に開閉蓋４を備えている。この開閉蓋４は、下述するガイドストッパー４ｃを介して開閉自在に保持されており、図３に示すように、開口部２ａを閉塞せしめるための蓋部４ａと、該蓋部４ａの下端に連設されて後述するインナーケース５を載置するためのトレー部４ｂと、該トレー部４ｂの底面に突設されたガイドストッパー４ｃとを備えている。
【００２５】
ガイドストッパー４ｃは、第２容器の底部２ｃに形成された嵌合スリット２ｄ内に整合されることで、開閉蓋４自体の左右への振れを防止するものであり、また、同ストッパー４ｃの先端には、図４及び図６に示すように、蓋部４ａの必要以上の回動を規制するための係止爪４ｃ１  と、蓋部４ａの開閉軌道を案内するガイド片４ｄとが形成されている。
【００２６】
係止爪４ｃ１  は、開蓋された際、図７に示すように、第２容器２の底部２ｃに突設された左右一対の突起２ｅに係合されるものであり、蓋部４ａの必要以上の開蓋操作を阻止するものである。
【００２７】
ガイド片４ｄは、第２容器２の嵌合スリット２ｄに連通されているＵ字状のガイド溝２ｆに遊嵌されるものであり、蓋部４ａの開閉軌道が上手くいくようにガイドストッパー４ｃと協働するものである。
【００２８】
更に、第２容器２内には、インナーケース５が着脱自在に配置されている。このインナーケース５は、取付袋(図示せず)の余剰部分を保持するためのスリット５ａが設けてある。このスリット５ａは、同インナーケース５の上端縁に連通しており、取付袋の余剰部分を上から横からも折り曲げ入れることができる。
【００２９】
このように構成される本考案のスタッキング収納ケースＡは、まず、前記挿入孔３にトイレ用ブラシＢを挿着させると、同ブラシＢが、恰も下まで（下位の第２容器２の中まで）挿着されいるような錯覚を起こすことから(図１参照)、一瞥してもそれが汚物入れを兼用しているとは認識しづらく、外観的にもエチケット的にも女性に好まれるお洒落なスタッキング収納ケースを提供できる。
【００３０】
しかも、前記挿入孔３内に挿着されたトイレ用ブラシＢは、汚れたブラシ部Ｂ２  を余すことなく挿入孔３で被装することができため、衛生的であると共に、ブラシ部Ｂ２  から落ちる水滴が、縮径空隙部３ａに貯留されるため、ブラシ部Ｂ２  の乾きを促進することができる。
【００３１】
尚、この縮径空隙部３ａ内に水分を多く含むことができる含浸材(図示せず)を着脱自在に載置しておけば、水滴の処理も簡単にできるものであり、その他、必要に応じて芳香剤や脱臭剤を入れても良い。
【００３２】
また、汚物入れを使用する時は、前記第２容器の開閉蓋４の上端側を手で掴んで手前に引けば、下端側のガイドストッパー４ｃを支点に開蓋できると共に、図７に示すように、第１容器がスタッキングされた状態でも、インナーケース５が手前に倒れるべく変位するため、汚物の出し入れ及びインナーケース５の取り外しが簡単にできるので頗る便利である。
【００３３】
しかも、ガイドストッパー４ｃの係止爪４ｃ１  が第２容器２の突起２ｅに係合されるため、蓋部４ａの必要以上の開蓋操作を阻止でき、意に反して汚物がこぼれ落ちたり、蓋部４ａが安易に開蓋方向に外れ落ちてしまこともない。
【００３４】
因に、蓋部４ａは、前記係止爪４ｃ１  との係合状態にない時は、上に持ち上げるだけで簡単に第２本体２から遊離できるため、同容器２内の洗浄や掃除の際に便利であり、従来より使用されている左右二点で回動自在に支持する開閉蓋４のヒンジ機構(図示せず)が不要になることは云うまでもない。
【００３５】
尚、本考案のスタッキング収納ケースは、本実施例に限定されることなく、本考案の目的の範囲内で自由に設計変更し得るものであり、本考案はそれらの全てを包摂するものである。例えば、本実施例では、開閉蓋４を手前に開蓋する連結方式をとっているが、これに限定されることなく、横方向（左右方向）に開蓋させても良い。
【００３６】
また、第１容器１は、本明細書で言及しているトイレ用ブラシ立てだけではなく、用途に応じてはキッチン等用の洗浄ブラシ、歯ブラシ、箸立て、鉛筆立て、その他、パスタ等の食材入れ、植木鉢として、第２容器２は、調味料入れ、小物入れ、食材入れ、文房具入れ、化粧品入れ等のポット或いは小銭入れ、貯金箱としても使用できることは云うまでもない。
【００３７】
更に、少なくとも第１容器１を透明な合成樹脂材で成形すれば、挿入口３及び縮径空隙部３ａに水を溜めておくだけで、同第１容器１の中心に恰も水槽が浮かんでいるかの如く見えるものであり、メダカや金魚等の小魚を入れて飼うことができるなど、お洒落な水槽或いはインテリアグッズとしても楽しむことができる。因に、この仕様では第２容器２を餌入れや水槽関係の小物入れとして使用できる。
【００３８】
また、第１容器１の挿入口３は、本実施例の如く盲穴に限定されるものではなく、第２容器２内及び／又はインナーケース５に連通させ、水滴等を下位の開閉蓋４を開蓋することで取捨できるように構成しても良く、本考案はこれらの全てを包摂するものである。
【図面の簡単な説明】
【００３９】
【図１】本考案に係るスタッキング収納ケースの使用状態を示す斜視図である。
【図２】同スタッキング収納ケースの開蓋状態を示す斜視図である。
【図３】同スタッキング収納ケースの組立分解斜視図である。
【図４】同スタッキング収納ケースの閉蓋状態を示す縦断面図である。
【図５】図５(ａ)は本実施例で使用する第２容器(汚物入れ)の開蓋状態を示す斜視図、図５(ｂ)は同汚物入れの閉蓋状態を示す正面図、図５(ｃ)は同側面図である。
【図６】本実施例で使用する第２容器(汚物入れ)の連結状態を示す説明図である。
【図７】同スタッキング収納ケースの開蓋状態を示す縦断面図である。
【図８】同スタッキング収納ケースの閉蓋状態を示す底面図である。
【符号の説明】
【００４０】
Ａ  スタッキング収納ケース
Ｂ  トイレ用ブラシ
Ｂ１  柄部
Ｂ２  ブラシ部
１  第１容器(ブラシ立て)
１ａ  頂部
１ｂ  スタッキング突起
２  第２容器(汚物入れ)
２ａ  開口部
２ｂ  頂部
２ｂ１  スタッキング凹部
２ｃ  底部
２ｄ  嵌合スリット
２ｅ  突起
２ｆ  ガイド溝
３  挿入孔
３ａ  縮径空隙部
４  開閉蓋
４ａ  蓋部
４ｂ  トレー部
４ｃ  ガイドストッパー
４ｃ１  係止爪
５  インナーケース
５ａ  スリット
【図１】
0003131622.tif 000003
【図２】
0003131622.tif 000004
【図３】
0003131622.tif 000005
【図４】
0003131622.tif 000006
【図５】
0003131622.tif 000007
【図６】
0003131622.tif 000008
【図７】
0003131622.tif 000009
【図８】
0003131622.tif 000010